(57)【要約】      （修正有）【課題】目の詰まった高級感の出る、輝いた奇麗な面を有する装飾用鎖を提供する。【解決手段】板材を環状に打ち抜いて成る環状体同士を鎖交させて鎖を形成し、装飾用鎖とするため、鏡面仕上げされた板材の面をそのまま利用でき、美しく輝いた面を出せる。また、隣接する環状体４が嵌入する凹部５を互いに対向するように１対形成して、環状体を形成する孔を２分すると、隣接する環状体の凹部同士が嵌入するように鎖交させることにより、凹部のみで鎖交させることができ、鎖の形状が安定すると共に目の詰まった鎖となり、高級感が出る。切り込み７を利用し、その両側を捻って開口を形成すれば、燐接する環状体を挿入して鎖交させることができる。鎖交後は切り込みをレーザー溶接やロウ付けで塞ぎ、装飾用鎖とする。【選択図】図６
0003171062.tif 000002
【実用新案登録請求の範囲】
【請求項１】
板材を環状に打ち抜いて成る環状体同士を鎖交させて成ることを特徴とする装飾用鎖。
【請求項２】
隣接する環状体が嵌入する凹部を互いに対向するように１対形成して、環状体を形成する孔を２分すると共に、
隣接する環状体の凹部同士が嵌入するように鎖交させて成ることを特徴とする請求項１に記載の装飾用鎖。
【請求項３】
メインの環状体は、隣接する連結専用環状体のスリット両端部が嵌入する凹部を互いに対向するように１対形成すると共に、
連結専用の環状体のスリットの約半分に、隣接するメインの環状体の凹部以外が入り鎖交して成ることを特徴とする請求項１に記載の装飾用鎖。
【請求項４】
隣接する環状体同士を鎖交させるために、隣接する環状体の少なくとも片方に、隣接する環状体が入る切り込みを形成し、鎖交後に前記の切り込みを溶接又はロウ付けで塞いでなることを特徴とする請求項１、請求項２又は請求項３に記載の装飾用鎖。
【考案の詳細な説明】
【技術分野】
【０００１】
本考案は、ネックレスやブレスレットとして好適な装飾用鎖に関する。
【背景技術】
【０００２】
特許文献１のように、軽量でありながらも、量感を有し、かつ、バリエーションに富んだ形状の装飾品を歩留まりよく製造すへく、特に、ネックレスやブレスレットなどの装飾用鎖の構成部材である一部に不連続部を有する欠環状部材であって、線材からなり、押し面に鏡面加工が施された押型と受け面に鏡面加工が施された受型とにより押圧されることにより塑性変形した平面部を少なくとも一部に有し、該平面部は鏡面を備える構成が提案されている。しかし、このように丸線を潰した構造は、加工面が多くなる。
【先行技術文献】
【特許文献】
【０００３】
【特許文献１】実用新案登録第3159417 号
【考案の概要】
【考案が解決しようとする課題】
【０００４】
特許文献１のように、アクセサリー用の鎖は、丸線から加工して鎖を形成することが多いため、各駒間に隙間が発生し易く、安っぽい製品になり勝ちである。また、従来のように、丸線を編んで潰した構造や丸線を潰してから編む構造は、加工面が多いため、輝いた奇麗な面にするには、入念に磨く必要があり、手間がかかる。
本考案の技術的課題は、このような問題に着目し、目の詰まった高級感の出る、しかも輝いた奇麗な面を有する装飾用鎖を実現することにある。
【課題を解決するための手段】
【０００５】
請求項１は、板材を環状に打ち抜いて成る環状体同士を鎖交させ、又は鎖交後に捻じってウェーブ状とし、若しくは前記鎖交の部分とウェーブ状を交互に形成して成る装飾用鎖である。
【０００６】
請求項２は、隣接する環状体が嵌入する凹部を互いに対向するように１対形成して、環状体を形成する孔を２分すると共に、
隣接する環状体の凹部同士が嵌入するように鎖交させて成る請求項１に記載の装飾用鎖である。
【０００７】
請求項３は、メインの環状体は、隣接する連結専用環状体のスリット両端部が嵌入する凹部を互いに対向するように１対形成すると共に、
連結専用の環状体のスリットの約半分に、隣接するメインの環状体の凹部以外が入り鎖交して成ることを特徴とする請求項１に記載の装飾用鎖である。
【０００８】
請求項４は、隣接する環状体同士を鎖交させるために、隣接する環状体の少なくとも片方に、隣接する環状体が入る切り込みを形成し、鎖交後に前記の切り込みをレーザー溶接又はロウ付けで塞いでなる請求項１、請求項２又は請求項３に記載の装飾用鎖である。
【考案の効果】
【０００９】
請求項１のように、板材を環状に打ち抜いて成る環状体同士を鎖交させて鎖を形成し、装飾用鎖とするため、鏡面仕上げされた板材の面をそのまま利用でき、美しく輝いた面を出せる。なお、鎖交後に捻じってウェーブ状としたり、前記鎖交部とウェーブ状を交互に形成することも可能である。
【００１０】
請求項２のように、隣接する環状体が嵌入する凹部を互いに対向するように１対形成して、環状体を形成する孔を２分すると、隣接する環状体の凹部同士が嵌入するように鎖交させることにより、凹部のみで鎖交させることができ、鎖の形状が安定すると共に目の詰まった鎖となり、高級感が出る。
【００１１】
請求項３のように、メインの環状体は、隣接する連結専用環状体のスリット両端部が嵌入する凹部を互いに対向するように１対形成するので、請求項１、２の環状体をそのまま利用できる。
連結専用の環状体は、スリットの約半分に、隣接するメインの環状体の凹部以外が入り鎖交するので、スリットの両端が凹部の役目を兼ねている。
このように、メインの環状体と連結専用の環状体を交互に鎖交させることで、種々のデザインが可能となる。
【００１２】
請求項４のように、切り込みを利用し、その両側を捻って開口を形成すれば、燐接する環状体を挿入して鎖交させることができる。鎖交後は切り込みをレーザー溶接やロウ付けで塞ぎ、装飾用鎖とする。
【図面の簡単な説明】
【００１３】
【図１】本考案による装飾用鎖の製造に使用する板材の斜視図である。
【図２】一定幅の駒を打ち抜く様子を示す斜視図である。
【図３】スリットと連通する１対の凹部を形成した環状体を示す平面図である。
【図４】スリットと環状体の外部を連通する切り込みを入れた環状体を示す斜視図である。
【図５】隣接する環状体同士を鎖交させる方法を示す側面図である。
【図６】環状体を鎖交させて鎖を形成した状態を示す斜視図である。
【図７】ウェーブをかけた装飾用鎖を示す斜視図である。
【図８】メインの駒を連結専用の駒で連結した装飾用鎖を示す斜視図である。
【図９】駒のデザインをハート状にした場合を示す斜視図である。
【考案を実施するための形態】
【００１４】
次に本考案による装飾用鎖が実際上どのように具体化されるか実施形態を詳述する。図１は、本考案による装飾用鎖の製造に使用する板材の斜視図であり、板厚ｔは特に限定しないが、0.１〜0.４mm、特に0.２〜0.３mmが適している。大きさは、装飾用鎖の駒を打ち抜ければ足りるが、単一の駒の長さより小さい幅Ｗの帯板１で足りる。
【００１５】
この帯板１を用いて、図２のように、一定幅ωの駒２…を打ち抜く。打ち抜いた各駒２…は、図３のように細いスリット３を形成することによって環状４に形成する。
さらに、環状体４のスリット３を２分するような凹部５・６が互いに対向するように１対形成する。この凹部５・６は、隣接する環状体４の凹部５・６が嵌入して互いに交差し鎖交するために形成する。
なお、スリット３は、片方と他方が同じ長さとなるように丁度２等分するのがよいが、片方が長く、他方が短くても特に支障は無い。
【００１６】
図４のように、スリット３と環状体４の外部を連通する切り込み７を入れ、その両側に逆方向の力を加えて開くことで、隣接する環状体が入る開口を形成可能にしている。
この開口を利用して、図５のように、隣接する環状体４・４の一方を挿入し鎖交させる。従って、総ての環状体４…に切り込み７を入れてもよいが、隣接する環状体の少なくとも片方に、切り込み７を形成すれば足りる。しかし、切り込み７が少ないと、鎖交させるための操作が面倒になる。
【００１７】
このように鎖交させた後は、前記の切り込み７をレーザー溶接やロウ付けで塞ぐため、これら一連の操作を考えた上で、切り込み７を設ける位置を考える必要があり、必ずしも凹部５又は６の位置に設ける必要はない。
こうして環状体４…を約９０度で鎖交させて鎖を形成した状態を正面図にしたのが図５であり、斜視図で見たのが図６である。
このように、隣接する環状体４…の凹部５・６同士が嵌入し交差して鎖交するように、スリット３を細く形成すると、鎖交位置が変化することは無く、かつ目の詰まった鎖となり、装飾用鎖としての高級感が出せる。
【００１８】
以上のように、完成した装飾用鎖をさらに加工し、捻じることによって、図７のような波形の製品とすることもできる。
また、間欠的に捻じりを加えれば、図５、図６のような真っ直ぐな形状と図７のような波形の形状が所定の間隔で交互に形成された製品を得ることもできる。このような間欠捻じりの場合の捻じり部の長さは任意であり、また捻じりの程度も任意である。
【００１９】
以上の実施形態は、総ての駒が同じ形状であるが、メインの駒に凹部５・６を設けて連結駒を挿入し連結した装飾用鎖も可能である。例えば、図３のような駒４を連結駒８で鎖状に連結して図８のような装飾用鎖にしたり、図９のように、メインのハート形の駒９を連結専用の駒８で連結したりもできる。
このように、連結専用の環状体８で鎖を編むときは、スリットの約半分に、隣接するメインの環状体の凹部以外が入り鎖交するので、スリットの両端が凹部５・６の役目を兼ねている。
なお、図９では、連結専用の駒８の図示を省いてある。
従って、メインの駒や連結用の駒を変えたり、捻じったりすれは、種々なデザインの装飾用鎖を輝きの良い板材の打ち抜きで実現できる。
【００２０】
本考案の装飾用鎖の特徴を羅列すると次のようになる。
１．板材１を打ち抜いて鎖の駒４を作る為、従来の丸線を編んで、それを潰す式と違い、面が非常に綺麗である。
２．この製造法により、駒４と駒４が殆ど隙間無く接する為、目の詰まった鎖となり、高級感が出る。
３．この駒４の幅ωを狭くした為に鎖のＲが小さくなるので、柔らかく仕上がる。
4.元が板材１なので、鎖にしたとき全く伸びる事なく、引っ張り強度が優れている。
５．また、この鎖に捻りを加えて２次加工すると、ウェーブが掛かった全く別の鎖もできる。なお、間欠捻りも可能である。
【産業上の利用可能性】
【００２１】
以上のように、本考案によると、板材にスリット等の孔を打ち抜いて環状体を形成し、スリットに面した凹部を１対形成して、凹部同士が嵌入して鎖交し、装飾用鎖を構成しているので、目の詰まった高級感のある装飾用鎖を実現できる。しかも、板材を打ち抜いて構成してあるので、輝いた奇麗な面を実現でき、磨きの手間が省ける。
【符号の説明】
【００２２】
１  帯板
２  駒
３  スリット（窓孔その他の孔）
４  環状体
５・６  凹部
７  切り込み
８  連結駒
９  ハート形の駒
【図１】
0003171062.tif 000003
【図２】
0003171062.tif 000004
【図３】
0003171062.tif 000005
【図４】
0003171062.tif 000006
【図５】
0003171062.tif 000007
【図６】
0003171062.tif 000008
【図７】
0003171062.tif 000009
【図８】
0003171062.tif 000010
【図９】
0003171062.tif 000011